(57)【要約】【課題】薬局から送信される通知情報の着信の見逃しを回避でき、かつ、通知内容を容易に把握できるようにすること。【解決手段】携帯端末１０は、調剤薬局で使用される端末装置１２から送信された、調剤薬局の利用者宛ての通知情報を受信する通信部１０２と、通知情報を受信した場合、その通知情報の着信を知らせるプッシュ通知を行うように表示部１０３を制御する制御部１０５と、を備え、制御部１０５は、プッシュ通知の後、通知情報の種類に応じて、通知内容を簡易的に示す通知画面を表示するように表示部１０３を制御する。【選択図】図６
2019133409.tif 000002
【特許請求の範囲】
【請求項１】
薬局で使用される端末装置から送信された、前記薬局の利用者宛ての通知情報を受信する通信部と、
前記通知情報を受信した場合、該通知情報の着信を知らせるプッシュ通知を行うように表示部を制御する制御部と、を備え、
前記制御部は、
前記プッシュ通知の後、前記通知情報の種類に応じて、通知内容を簡易的に示す通知画面を表示するように前記表示部を制御する、
情報表示装置。
【請求項２】
前記通知情報は、
前記薬局で調剤された薬剤に係る調剤明細書の内容を示す調剤情報、前記利用者に対する案内を示す案内情報、前記薬局と前記利用者とのペアリングの登録が完了した旨を示すペアリング登録通知情報、または、前記薬局と前記利用者とのペアリングの解除が完了した旨を示すペアリング解除通知情報、のいずれかである、
請求項１に記載の情報表示装置。
【請求項３】
前記制御部は、
前記調剤情報が受信され、該調剤情報の処理の種別として登録が指定されている場合、通知内容が調剤情報の登録である旨を示す第１通知画面を表示するように前記表示部を制御し、
前記調剤情報が受信され、該記調剤情報の処理の種別として更新が指定されている場合、通知内容が調剤情報の更新である旨を示す第２通知画面を表示するように前記表示部を制御する、
請求項２に記載の情報表示装置。
【請求項４】
前記制御部は、
前記案内情報が受信された場合、通知内容が前記薬局からの案内である旨を示す第３通知画面を表示するように前記表示部を制御し、
前記ペアリング登録通知情報が受信された場合、通知内容が前記ペアリングの登録の完了である旨を示す第４通知画面を表示するように前記表示部を制御し、
前記ペアリング解除通知情報が受信された場合、通知内容が前記ペアリングの解除の完了である旨を示す第５通知画面を表示するように前記表示部を制御する、
請求項２に記載の情報表示装置。
【請求項５】
前記制御部は、
前記プッシュ通知の後、かつ、前記通知画面の表示前に、前記通知画面よりもさらに簡易的に通知内容を示す簡易通知画面を表示するように前記表示部を制御する、
請求項１に記載の情報表示装置。
【請求項６】
薬局で使用される端末装置から送信された、前記薬局の利用者宛ての通知情報を受信するステップと、
前記通知情報を受信した場合、該通知情報の着信を知らせるプッシュ通知を行うように表示部を制御するステップと、
前記プッシュ通知の後、前記通知情報の種類に応じて、通知内容を簡易的に示す通知画面を表示するように前記表示部を制御するステップと、を含む、
情報表示方法。
【請求項７】
薬局で使用される端末装置から送信された、前記薬局の利用者宛ての通知情報を受信する処理と、
前記通知情報を受信した場合、該通知情報の着信を知らせるプッシュ通知を行うように表示部を制御する処理と、
前記プッシュ通知の後、前記通知情報の種類に応じて、通知内容を簡易的に示す通知画面を表示するように前記表示部を制御する処理と、をコンピュータに実行させる、
情報表示プログラム。
【発明の詳細な説明】
【技術分野】
【０００１】
本発明は、薬局から提供される情報の着信を通知する情報表示装置、情報表示方法、および情報表示プログラムに関する。
【背景技術】
【０００２】
従来、薬局にて使用される薬局端末と、その薬局を利用する患者により使用される患者端末とが、ネットワークを介して、種々の情報を送受信するシステムが知られている。例えば、薬局端末が患者端末へ種々の通知情報（例えば、薬剤の服用日時を知らせる情報や、服用忘れを案内する情報）を送信することにより、患者を支援するシステムが知られている（例えば特許文献１参照）。
【先行技術文献】
【特許文献】
【０００３】
【特許文献１】特開２００７−１２２１８３号公報
【発明の概要】
【発明が解決しようとする課題】
【０００４】
しかしながら、上記従来のシステムでは、患者が、通知情報の着信や通知内容（例えば、調剤内容の変更等）を見逃してしまうおそれがある。
【０００５】
また、上記従来のシステムでは、患者は、通知情報の着信時に、その通知内容を容易に把握したいという要望がある。
【０００６】
本発明は、薬局から送信される通知情報の着信の見逃しを回避でき、かつ、通知内容を容易に把握することができる情報表示装置、情報表示方法、および情報表示プログラムを提供することを目的とする。
【課題を解決するための手段】
【０００７】
本発明の一態様に係る情報表示装置は、薬局で使用される端末装置から送信された、前記薬局の利用者宛ての通知情報を受信する通信部と、前記通知情報を受信した場合、該通知情報の着信を知らせるプッシュ通知を行うように表示部を制御する制御部と、を備え、前記制御部は、前記プッシュ通知の後、前記通知情報の種類に応じて、通知内容を簡易的に示す通知画面を表示するように前記表示部を制御する。
【０００８】
本発明の一態様に係る情報表示方法は、薬局で使用される端末装置から送信された、前記薬局の利用者宛ての通知情報を受信するステップと、前記通知情報を受信した場合、該通知情報の着信を知らせるプッシュ通知を行うように表示部を制御するステップと、前記プッシュ通知の後、前記通知情報の種類に応じて、通知内容を簡易的に示す通知画面を表示するように前記表示部を制御するステップと、を含む。
【０００９】
本発明の一態様に係る情報表示プログラムは、薬局で使用される端末装置から送信された、前記薬局の利用者宛ての通知情報を受信する処理と、前記通知情報を受信した場合、該通知情報の着信を知らせるプッシュ通知を行うように表示部を制御する処理と、前記プッシュ通知の後、前記通知情報の種類に応じて、通知内容を簡易的に示す通知画面を表示するように前記表示部を制御する処理と、をコンピュータに実行させる。
【発明の効果】
【００１０】
本発明によれば、薬局から送信される通知情報の着信の見逃しを回避でき、かつ、通知内容を容易に把握することができる。
【図面の簡単な説明】
【００１１】
【図１】本発明の実施の形態に係る情報表示システムの構成の一例を示す図
【図２】本発明の実施の形態に係る端末装置の構成の一例を示す図
【図３】本発明の実施の形態に係る調剤情報の一例を示す図
【図４】本発明の実施の形態に係るサーバ装置の構成の一例を示す図
【図５】本発明の実施の形態に係るペアリング情報の一例を示す図
【図６】本発明の実施の形態に係る端末装置の構成の一例を示す図
【図７】本発明の実施の形態に係る情報表示システムにおける処理の流れの一例を示す図
【図８】本発明の実施の形態に係るポップアップ表示の一例を示す図
【図９】本発明の実施の形態に係る第１通知画面の一例を示す図
【図１０】本発明の実施の形態に係る第２通知画面の一例を示す図
【図１１】本発明の実施の形態に係る第３通知画面の一例を示す図
【図１２】本発明の実施の形態に係る案内内容画面の一例を示す図
【図１３】本発明の実施の形態に係る第４通知画面の一例を示す図
【図１４】本発明の実施の形態に係る第５通知画面の一例を示す図
【図１５】本発明の変形例に係る簡易通知画面の一例を示す図
【発明を実施するための形態】
【００１２】
以下、本発明の実施の形態について、図面を参照して詳細に説明する。
【００１３】
本発明の実施の形態に係る情報表示システム１について、図１を用いて説明する。図１は、情報表示システム１の構成の一例を示す図である。
【００１４】
情報表示システム１は、携帯端末１０と、サーバ装置１１と、端末装置１２とを備える。サーバ装置１１は、携帯端末１０および端末装置１２のそれぞれと通信を行う。
【００１５】
サーバ装置１１は、所定のネットワーク（例えば、インターネット）に配置されるコンピュータである。
【００１６】
端末装置１２は、例えば、調剤薬局（単に、薬局ともいう）に設置され、薬局の従業員（薬剤師等）により使用されるコンピュータである。端末装置１２は、携帯型のコンピュータ（例えば、携帯電話、スマートフォン、タブレット等）であってもよいし、据え置き型のコンピュータ（例えば、デスクトップ型のパーソナルコンピュータ等）であってもよい。また、端末装置１２は、レセプトコンピュータと通信可能なコンピュータであってもよいし、レセプトコンピュータの機能を備えたコンピュータであってもよい。本実施の形態では、端末装置１２がレセプトコンピュータの機能を備えたコンピュータである場合を例に挙げて説明する。
【００１７】
携帯端末１０（本発明の情報表示装置の一例）は、調剤薬局の利用者により使用される携帯型のコンピュータ（例えば、携帯電話、スマートフォン、タブレット等）である。調剤薬局の利用者は、例えば、処方せんに基づいて調剤された薬剤（以下、調剤薬という）を服用する者（以下、患者という）である。本実施の形態では、携帯端末１０のユーザが患者である場合を例に挙げて説明する。なお、患者により使用される端末は、携帯型のコンピュータに限定されず、据え置き型のコンピュータ（例えば、デスクトップ型のパーソナルコンピュータ等）であってもよい。
【００１８】
情報表示システム１では、調剤薬局のレセプトコンピュータで管理される患者ＩＤと患者が利用する携帯端末１０で動作する電子お薬手帳アプリ（後述の専用アプリケーション１０４ａの一例）のユーザＩＤとのペアリングの登録が行われることで、調剤薬局（端末装置１２）から患者（携帯端末１０）に対して種々の情報の提供が行われる。ペアリングが解除されると、調剤薬局から患者に対する情報提供は停止される。ペアリングの登録および解除は、患者からの要求を受けた調剤薬局が、端末装置１２において登録／解除対象の薬局ＩＤと患者ＩＤを指定する操作等を行うことにより、実現される。
【００１９】
以上、情報表示システム１の構成について説明した。
【００２０】
次に、図１に示した端末装置１２について、図２を用いて説明する。図２は、端末装置１２の構成の一例を示す図である。
【００２１】
端末装置１２は、入力部１２１と、通信部１２２と、表示部１２３と、記憶部１２４と、制御部１２５と、を有する。
【００２２】
入力部１２１は、種々の操作を受け付ける入力装置（例えば、タッチパネル、キーボード、マウス等）である。
【００２３】
入力部１２１が受け付ける操作としては、例えば、処方せん、お薬手帳、または調剤明細書の内容を入力する操作や、調剤薬局が患者に通知したい情報（以下、通知情報という）を携帯端末１０へ送信する操作などが挙げられる。
【００２４】
通知情報としては、例えば、後述する調剤情報１２４ａ、案内情報１２４ｂ、ペアリング登録通知情報１２４ｃ、ペアリング解除通知情報１２４ｄが挙げられる。
【００２５】
通信部１２２は、所定のネットワーク（例えば、インターネット）を介してサーバ装置１１と通信を行う装置であり、送信回路、受信回路などを含む。
【００２６】
表示部１２３は、種々の情報を表示する装置（例えば、液晶ディスプレイ等）である。なお、表示装置がタッチパネルで構成される場合、表示部１２３は、入力部１２１の機能を兼ね備える。
【００２７】
記憶部１２４は、種々の情報を記憶する装置（例えば、ハードディスク装置、メモリ等）である。
【００２８】
記憶部１２４は、例えば、通知情報として、調剤情報１２４ａ、案内情報１２４ｂ、ペアリング登録通知情報１２４ｃ、ペアリング解除通知情報１２４ｄを記憶する。
【００２９】
調剤情報１２４ａは、調剤薬に係る情報であり、例えば、調剤明細書の内容（複数の項目）を示す情報である。調剤情報１２４ａは、薬剤師等の操作によって適宜端末装置１２に入力される。
【００３０】
ここで、調剤情報１２４ａの一例について、図３を用いて説明する。図３は、調剤情報１２４ａの一例を示す図である。
【００３１】
調剤情報ＩＤは、調剤情報を識別可能なＩＤである。
【００３２】
種別は、携帯端末１０における調剤情報の処理（扱い）を示し、例えば、調剤情報の登録（追加）と調剤情報の更新（変更）がある。調剤情報の登録とは、新規の調剤情報を携帯端末１０に記憶させる処理であり、調剤情報の更新とは、携帯端末１０に記憶済みの調剤情報を更新する処理である。調剤情報の登録または調剤情報の更新は、薬剤師等によって選択される。
【００３３】
患者ＩＤは、患者を識別可能なＩＤである。
【００３４】
患者名は、患者の氏名である。
【００３５】
調剤日は、調剤が行われた年月日である。
【００３６】
薬局ＩＤは、調剤薬局を識別可能なＩＤである。
【００３７】
薬局名は、調剤薬局を名称である。
【００３８】
調剤薬名は、調剤薬の名称である。
【００３９】
分量は、患者に提供された調剤薬の分量である。
【００４０】
服用方法は、調剤薬の服用方法である。
【００４１】
なお、調剤情報１２４ａに含まれる内容は、図３に示した内容に限定されず、例えば、保険医療福祉情報システム工業会（ＪＡＨＩＳ）で規定されている電子版お薬手帳の内容が含まれてもよい。
【００４２】
以上、調剤情報１２４ａの一例について説明した。以下、図２の説明に戻る。
【００４３】
案内情報１２４ｂは、調剤薬局から患者に対する案内（例えば、次回の来店の日時の目安等）をメッセージ等により示す情報である。この案内情報１２４ｂは、薬剤師等の操作によって適宜端末装置１２に入力される。
【００４４】
ペアリング登録通知情報１２４ｃは、ペアリングの登録が完了した旨をメッセージ等により示す情報である。このペアリング登録通知情報１２４ｃは、予め用意（作成）されたものでもよいし、薬剤師等の操作によって端末装置１２に入力されたものでもよい。
【００４５】
ペアリング解除通知情報１２４ｄは、ペアリングの解除が完了した旨をメッセージ等により示す情報である。このペアリング解除通知情報１２４ｄは、予め用意（作成）されたものでもよいし、薬剤師等の操作によって端末装置１２に入力されたものでもよい。
【００４６】
なお、上述した案内情報１２４ｂ、ペアリング登録通知情報１２４ｃ、およびペアリング解除通知情報１２４ｄには、例えば、薬剤師等の操作により入力された薬局ＩＤ、薬局名、患者ＩＤ、および患者名も含まれる。
【００４７】
制御部１２５は、端末装置１２の各部の制御を行う装置（例えば、ＣＰＵ（Central Processing Unit）等）である。
【００４８】
例えば、制御部１２５は、入力部１２１が通知情報（例えば、調剤情報１２４ａまたは案内情報１２４ｂ）の入力操作を受け付けた場合、入力された通知情報を記憶部１２４に記憶させる。
【００４９】
また、例えば、制御部１２５は、入力部１２１が上記いずれかの通知情報（調剤情報１２４ａ、案内情報１２４ｂ、ペアリング登録通知情報１２４ｃ、またはペアリング解除通知情報１２４ｄ）の送信を指示する操作を受け付けた場合、通知情報をサーバ装置１１に送信するように通信部１２２を制御する。
【００５０】
以上、端末装置１２の構成について説明した。
【００５１】
次に、図１に示したサーバ装置１１について、図４を用いて説明する。図４は、サーバ装置１１の構成の一例を示す図である。
【００５２】
サーバ装置１１は、通信部１１１と、記憶部１１２と、制御部１１３と、を有する。
【００５３】
通信部１１１は、所定のネットワーク（例えば、インターネット）を介して端末装置１２および携帯端末１０と通信を行う装置であり、送信回路、受信回路などを含む。
【００５４】
記憶部１２４は、種々の情報を記憶する装置（例えば、ハードディスク装置、メモリ等）である。
【００５５】
記憶部１２４は、例えば、ペアリング情報１１２ａを記憶する。ペアリング情報１１２ａは、ペアリングの登録が行われた調剤薬局と患者との対応関係を示す情報であり、例えば、端末装置１２にて入力され、サーバ装置１１へ送信される。
【００５６】
ここで、ペアリング情報１１２ａの一例について、図５を用いて説明する。図５は、ペアリング情報１１２ａの一例を示す図である。
【００５７】
薬局ＩＤは、調剤薬局を識別可能なＩＤである。
【００５８】
患者ＩＤは、調剤薬局で管理される患者を識別可能なＩＤである。
【００５９】
ユーザＩＤは、携帯端末１０の電子お薬手帳アプリのユーザを識別可能なＩＤである。
【００６０】
宛先は、携帯端末１０の宛先であり、例えばプッシュトークン（デバイストークンともいう）である。この宛先に基づいて、サーバ装置１１は、通知情報のプッシュ送信が可能となる。
【００６１】
以上、ペアリング情報１１２ａの一例について説明した。以下、図４の説明に戻る。
【００６２】
制御部１１３は、サーバ装置１１の各部の制御を行う装置（例えば、ＣＰＵ等）である。
【００６３】
例えば、制御部１１３は、通信部１１１が端末装置１２から上記いずれかの通知情報を受信した場合、その通知情報を携帯端末１０へ転送する。
【００６４】
具体的には、通知情報が受信されると、まず、制御部１１３は、記憶部１１２からペアリング情報１１２ａを読み出す。
【００６５】
次に、制御部１１３は、ペアリング情報１１２ａにおいて、受信された通知情報に含まれている薬局ＩＤおよび患者ＩＤに対応付けられたユーザＩＤおよび宛先を検索する。
【００６６】
なお、本実施の形態では、端末装置１２からサーバ装置１１へ送信される各種通知情報に薬局ＩＤおよび患者ＩＤが含まれており、サーバ装置１１が、その薬局ＩＤおよび患者ＩＤに基づいて、ユーザＩＤおよび宛先を特定する場合を例に挙げて説明したが、これに限定されない。例えば、端末装置１２が、通知情報の送信先のユーザＩＤと宛先とを特定してもよい。その場合、端末装置１２からサーバ装置１１へ送信される各種通知情報に、薬局ＩＤおよび患者ＩＤは含まれなくてもよい。
【００６７】
次に、制御部１１３は、検索された宛先へ通知情報を送信するように通信部１１１を制御する。
【００６８】
以上、サーバ装置１１の構成について説明した。
【００６９】
次に、図１に示した携帯端末１０の構成について、図６を用いて説明する。図６は、携帯端末１０の構成の一例を示す図である。
【００７０】
携帯端末１０は、入力部１０１と、通信部１０２と、表示部１０３と、記憶部１０４と、制御部１０５と、を有する。
【００７１】
入力部１０１は、種々の操作を受け付ける入力装置（例えば、タッチパネル、押しボタン、回転型のセレクタ等）である。
【００７２】
入力部１０１が受け付ける操作としては、例えば、通知情報の表示を指示する操作などが挙げられる。
【００７３】
通信部１０２は、所定のネットワーク（例えば、インターネット）を介してサーバ装置１１と通信を行う装置であり、送信回路、受信回路などを含む。
【００７４】
表示部１０３は、種々の情報を表示する装置（例えば、液晶ディスプレイ等）である。なお、表示装置がタッチパネルで構成される場合、表示部１０３は、入力部１０１の機能を兼ね備える。
【００７５】
記憶部１０４は、種々の情報を記憶する装置（例えば、ハードディスク装置、メモリ等）である。
【００７６】
記憶部１０４は、例えば、専用アプリケーション１０４ａを記憶する。専用アプリケーション１０４ａは、携帯端末１０にインストールされるアプリケーションプログラムであり、例えば、電子お薬手帳アプリである。電子お薬手帳アプリは、電子データ化されたお薬手帳の内容を管理するアプリケーションである。よって、例えば、携帯端末１０に記憶された調剤情報１２４ａの表示は、専用アプリケーション１０４ａによって実現される。
【００７７】
制御部１０５は、携帯端末１０の各部の制御を行う装置（例えば、ＣＰＵ等）である。制御部１０５は、記憶部１０４に記憶された専用アプリケーション１０４ａに基づいて各部の制御を行う。
【００７８】
例えば、制御部１０５は、通信部１０２がサーバ装置１１から上記いずれかの通知情報を受信した場合、その通知情報の種類に応じて、通知内容を簡易的に示す通知画面を表示するように表示部１０３を制御する。この通知画面の詳細については後述する。
【００７９】
以上、携帯端末１０の構成について説明した。
【００８０】
次に、図１に示した情報表示システム１で行われる処理の流れについて、図７を参照して説明する。図７は、情報表示システム１における処理の流れの一例を示す図である。
【００８１】
まず、端末装置１２において、入力部１２１が、通知情報（調剤情報１２４ａ（調剤情報の登録または更新対象のもの）、案内情報１２４ｂ、ペアリング登録通知情報１２４ｃ、またはペアリング解除通知情報１２４ｄ）の送信を指示する操作を受け付けると（ステップＳ１１）、制御部１２５は、送信対象の通知情報を記憶部１２４から読み出し、その通知情報をサーバ装置１１へ送信するように通信部１２２を制御する。これにより、通信部１２２は、通知情報をサーバ装置１１へ送信する（ステップＳ１２）。
【００８２】
次に、サーバ装置１１において、通信部１１１が、端末装置１２から通知情報を受信すると（ステップＳ１３）、制御部１１３は、その通知情報の送信先である携帯端末１０を特定する（ステップＳ１４）。
【００８３】
具体的には、上述したとおり、制御部１１３は、記憶部１１２から読み出したペアリング情報１１２ａにおいて、受信された通知情報に含まれている薬局ＩＤおよび患者ＩＤに対応付けられたユーザＩＤおよび宛先を検索する。そして、制御部１１３は、検索された宛先へ通知情報を送信するように通信部１１１を制御する。これにより、通信部１１１は、通知情報を携帯端末１０へ送信する（ステップＳ１５）。
【００８４】
次に、携帯端末１０において、通信部１０２が、サーバ装置１１から通知情報を受信すると（ステップＳ１６）、制御部１０５は、通知情報の着信を知らせるためのポップアップ表示（プッシュ通知の一例）を行うように表示部１０３を制御する。これにより、表示部１０３は、ポップアップ表示を実行する（ステップＳ１７）。
【００８５】
なお、上記説明では、サーバ装置１１が携帯端末１０へ通知情報を送信する場合を例に挙げて説明したが、サーバ装置１１が、他のサーバ装置に携帯端末１０への通知情報のプッシュ送信を依頼してもよい。その場合、他のサーバ装置から携帯端末１０へ通知情報が送信される。
【００８６】
ここで、ポップアップ表示の一例について、図８を用いて説明する。図８は、携帯端末１０におけるポップアップ表示の一例を示す図である。
【００８７】
図８に示すポップアップ表示は、例えば、ホーム画面において表示される。図８に示すように、ポップアップ表示２０には、通知情報の着信を知らせるメッセージ、「開く」ボタン、「閉じる」ボタンが含まれる。「開く」ボタンは、携帯端末１０のユーザが通知画面を確認する場合に操作（例えば、指で押下）するボタンであり、「閉じる」ボタンは、携帯端末１０のユーザが通知画面を確認しない場合に操作（例えば、指で押下）するボタンである。「閉じる」ボタンが操作された場合、ポップアップ表示２０は、画面から消去される。一方、「開く」ボタンが操作された場合、通知情報の種類に応じて、後述する通知画面（図９、図１０、図１１、図１３、図１４参照）に遷移する。
【００８８】
このようにポップアップ表示が行われることにより、患者は、調剤薬局の端末装置１２から送信される通知情報の着信の見逃しを回避できる。
【００８９】
以上、ポップアップ表示の一例について説明した。以下、図７の説明に戻る。
【００９０】
入力部１０１が、図８に示した「開く」ボタンの操作を受け付けた場合、制御部１０５は、通知情報の種類に応じて、通知画面を表示するように表示部１０３を制御する。これにより、表示部１０３は、通知画面の表示を行う（ステップＳ１８）。通知画面の詳細については、後述する。
【００９１】
以上、情報表示システム１における処理の流れについて説明した。
【００９２】
なお、情報表示システム１の各装置（携帯端末１０、サーバ装置１１、および端末装置１２）は、コンピュータプログラムにより実現され得る。
【００９３】
具体的には、制御部が、上述した機能を実現するためのプログラムを記録した記録媒体からそのプログラムを読み取り、記憶部に記憶させる。または、通信部が、上述した機能を実現するためのプログラムを保持しているサーバ装置（例えば、サーバ装置１１とは別のサーバ装置）と通信を行い、そのサーバ装置からそのプログラムをダウンロードし、制御部が、そのプログラムを記憶部に記憶させる。
【００９４】
そして、制御部が、記憶部に記憶されたプログラムをＲＡＭ（Random Access Memory）にコピーし、そのプログラムに含まれる命令をＲＡＭから順次読み出して実行することにより、上述した機能が実現される。
【００９５】
以下、通知画面の各例について、図９〜図１４を用いて説明する。
【００９６】
まず、調剤情報の登録を通知する第１通知画面について、図９を用いて説明する。図９は、第１通知画面の一例を示す図である。
【００９７】
携帯端末１０の制御部１０５は、受信された通知情報が調剤情報１２４ａであり、その調剤情報１２４ａの種別（図３参照）が「登録」である場合、第１通知画面を表示するように表示部１０３を制御する。これにより、表示部１０３は、図９に示す第１通知画面を表示する。
【００９８】
図９に示すように、第１通知画面には、タイトル３０、メッセージ３１、選択ボタン３２、３３が含まれる。
【００９９】
タイトル３０は、通知の内容が調剤情報の登録である旨を示す文章である。
【０１００】
メッセージ３１は、調剤情報の送信元である調剤薬局の名称（調剤情報１２４ａに含まれている薬局名）を示すとともに、届いた調剤情報を登録するか否かを患者（携帯端末１０のユーザ）に問いかける旨の文章である。
【０１０１】
選択ボタン３２は、患者が調剤情報を登録したい場合に操作するボタンである。この選択ボタン３２が操作された場合、制御部１０５は、受信された調剤情報１２４ａを記憶部１０４に記憶させる。なお、記憶部１０４に記憶された調剤情報１２４ａは、専用アプリケーション１０４ａの機能により、表示部１０３に表示可能となる。
【０１０２】
選択ボタン３３は、患者が調剤情報の登録を保留する場合に操作するボタンである。この選択ボタン３３が操作された場合、制御部１０５は、受信された調剤情報１２４ａの記憶部１０４への記憶を保留する。
【０１０３】
以上、第１通知画面について説明した。
【０１０４】
次に、調剤情報の更新を通知する第２通知画面について、図１０を用いて説明する。図１０は、第２通知画面の一例を示す図である。
【０１０５】
携帯端末１０の制御部１０５は、受信された通知情報が調剤情報１２４ａであり、その調剤情報１２４ａの種別（図３参照）が「更新」である場合、第２通知画面を表示するように表示部１０３を制御する。これにより、表示部１０３は、図１０に示す第２通知画面を表示する。
【０１０６】
図１０に示すように、第２通知画面には、タイトル４０、メッセージ４１、選択ボタン４２、４３が含まれる。
【０１０７】
タイトル４０は、通知内容が調剤情報の更新である旨を示す文章である。
【０１０８】
メッセージ４１は、調剤情報の送信元である調剤薬局の名称（調剤情報１２４ａに含まれている薬局名）を示すとともに、登録済みの調剤情報を、届いた調剤情報に更新するか否かを患者（携帯端末１０のユーザ）に問いかける旨の文章である。
【０１０９】
選択ボタン４２は、患者が調剤情報を更新したい場合に操作するボタンである。この選択ボタン４２が操作された場合、制御部１０５は、記憶部１０４に記憶されている調剤情報の更新を行う。すなわち、制御部１０５は、記憶部１０４に記憶されている調剤情報のうち、今回受信された調剤情報１２４ａの調剤情報ＩＤを持つものを消去し、今回受信された調剤情報１２４ａを記憶部１０４に記憶させる。なお、記憶部１０４に記憶された調剤情報１２４ａは、専用アプリケーション１０４ａの機能により、表示部１０３に表示可能となる。
【０１１０】
選択ボタン４３は、患者が調剤情報の更新を保留する場合に操作するボタンである。この選択ボタン４３が操作された場合、制御部１０５は、調剤情報の更新を保留する。
【０１１１】
以上、第２通知画面について説明した。
【０１１２】
次に、案内情報を通知する第３通知画面について、図１１を用いて説明する。図１１は、第３通知画面の一例を示す図である。
【０１１３】
携帯端末１０の制御部１０５は、受信された通知情報が案内情報１２４ｂである場合、第３通知画面を表示するように表示部１０３を制御する。これにより、表示部１０３は、図１１に示す第３通知画面を表示する。
【０１１４】
図１１に示すように、第３通知画面には、タイトル５０、メッセージ５１、選択ボタン５２、５３が含まれる。
【０１１５】
タイトル５０は、通知内容が調剤薬局からの案内である旨を示す文章である。
【０１１６】
メッセージ５１は、案内情報の送信元である調剤薬局の名称（案内情報１２４ｂに含まれている薬局名）を示すとともに、届いた案内情報の内容を確認するか否かを患者（携帯端末１０のユーザ）に問いかける旨の文章である。
【０１１７】
選択ボタン５２は、患者が案内情報の内容を確認したい場合に操作するボタンである。この選択ボタン５２が操作された場合、制御部１０５は、案内情報１２４ｂの内容を表示するように表示部１０３を制御する。これにより、表示部１０３は、例えば、図１２に示す案内内容画面を表示する。図１２に示すように、案内内容画面には、案内の内容（図中の例では、次回の来店日時の目安）を示すメッセージ６０が表示される。
【０１１８】
選択ボタン５３は、患者が案内情報の内容の確認を保留する場合に操作するボタンである。この選択ボタン５３が操作された場合、制御部１０５は、図１２に示した案内内容画面の表示を保留する。
【０１１９】
以上、第３通知画面について説明した。
【０１２０】
次に、登録通知情報を通知する第４通知画面について、図１３を用いて説明する。図１３は、第４通知画面の一例を示す図である。
【０１２１】
携帯端末１０の制御部１０５は、受信された通知情報がペアリング登録通知情報１２４ｃである場合、第４通知画面を表示するように表示部１０３を制御する。これにより、表示部１０３は、図１３に示す第４通知画面を表示する。
【０１２２】
図１３に示すように、第４通知画面には、タイトル７０、メッセージ７１が含まれる。
【０１２３】
タイトル７０は、通知内容がペアリングの登録である旨を示す文章である。
【０１２４】
メッセージ７１は、登録通知情報の送信元である調剤薬局の名称（ペアリング登録通知情報１２４ｃに含まれている薬局名）を示すとともに、その調剤薬局と患者（携帯端末１０のユーザ）とのペアリングの登録が完了した旨を示す文章である。
【０１２５】
以上、第４通知画面について説明した。
【０１２６】
次に、解除通知情報を通知する第５通知画面について、図１４を用いて説明する。図１４は、第５通知画面の一例を示す図である。
【０１２７】
携帯端末１０の制御部１０５は、受信された通知情報がペアリング解除通知情報１２４ｄである場合、第５通知画面を表示するように表示部１０３を制御する。これにより、表示部１０３は、図１４に示す第５通知画面を表示する。
【０１２８】
図１４に示すように、第５通知画面には、タイトル８０、メッセージ８１が含まれる。
【０１２９】
タイトル８０は、通知内容がペアリングの解除である旨を示す文章である。
【０１３０】
メッセージ８１は、解除通知情報の送信元である調剤薬局の名称（ペアリング解除通知情報１２４ｄに含まれている薬局名）を示すとともに、その調剤薬局と患者（携帯端末１０のユーザ）とのペアリングの解除が完了した旨を示す文章である。
【０１３１】
以上、第５通知画面について説明した。
【０１３２】
以上、通知画面の各例について説明した。
【０１３３】
本実施の形態の携帯端末１０は、調剤薬局で使用される端末装置１２から送信された、調剤薬局の患者宛ての通知情報を受信する通信部１０２と、通知情報を受信した場合、その通知情報の着信を知らせるポップアップ表示を行うように表示部１０３を制御する制御部１０５と、を備え、制御部１０５は、ポップアップ表示の後、通知情報の種類に応じて、通知内容を簡易的に示す通知画面を表示するように表示部１０３を制御することを特徴とする。これにより、携帯端末１０のユーザは、調剤薬局の端末装置１２から送信される通知情報の着信の見逃しや通知内容（例えば、調剤内容の変更等）の見逃しを回避でき、かつ、その通知内容を容易に把握することができる。
【０１３４】
なお、本発明は、上述の実施の形態に限定されるものではなく、本発明の趣旨を逸脱しない範囲で、適宜変形して実施することが可能である。以下、各変形例について説明する。
【０１３５】
［変形例１］
調剤情報１２４ａ、ペアリング登録通知情報１２４ｃ、またはペアリング解除通知情報１２４ｄには、薬剤師等の操作により入力されたメッセージが含まれてもよい。そのメッセージは、図９の第１通知画面、図１０の第２通知画面、図１３の第４通知画面、または、図１４の第５通知画面に表示されてもよいし、それらの通知画面とは別の画面（例えば、図１２に示した案内内容画面と同様の画面）に表示されてもよい。後者の場合、通知画面において、メッセージがある旨の文章を表示し、メッセージの内容を確認する操作を携帯端末１０のユーザに促すようにしてもよい。
【０１３６】
［変形例２］
実施の形態では、ポップアップ表示（図８参照）の後、第１〜第５通知画面のいずれかが表示される場合を例に挙げたが、第１〜第５通知画面のいずれかが表示される前に、通知画面よりもさらに簡易的に通知内容を示す通知画面（以下、簡易通知画面という）を表示してもよい。通知情報が調剤情報１２４ａである場合の簡易通知画面の一例を図１５に示す。
【０１３７】
図１５に示すように、簡易通知画面には、メッセージ９０、ボタン９１が含まれる。
【０１３８】
メッセージ９０は、調剤情報が届いた旨を示す文章である。
【０１３９】
ボタン９１は、患者が通知内容をさらに確認したい場合に操作するボタンである。このボタン９２が操作された場合、制御部１０５は、調剤情報１２４ａの種別（登録または解除）に応じて、図９に示した第１通知画面または図１０に示した第２通知画面のいずれかを表示するように表示部１０３を制御する。
【０１４０】
［変形例３］
携帯端末１０の専用アプリケーション１０４ａは、複数の患者（例えば、家族）の調剤情報を管理し、患者毎に調剤情報を表示する機能を有してもよい。その場合、携帯端末１０の通信部１０２が調剤情報１２４ａを受信すると、制御部１０５は、第１通知画面（図９参照）、第２通知画面（図１０参照）、または簡易通知画面（図１５参照）において、受信された調剤情報１２４ａに含まれている患者名（図３参照）を表示するように表示部１０３を制御してもよい。これにより、届いた調剤情報１２４ａがどの患者宛であるのかを携帯端末１０のユーザは認識することができる。
【０１４１】
なお、上記説明では、調剤情報１２４ａを例に挙げたが、案内情報１２４ｂ、ペアリング登録通知情報１２４ｃ、またはペアリング解除通知情報１２４ｄが受信された場合も、上記同様に、第３〜第５の通知画面のいずれかに患者名が表示されてもよい。
【０１４２】
［変形例４］
携帯端末１０の制御部１０５は、第１通知画面（図９参照）の表示後に選択ボタン３２が操作され、調剤情報１２４ａを記憶部１０４に記憶させた場合、サーバ装置１１を介して端末装置１２へ、調剤情報１２４ａの登録が完了した旨を示す登録完了情報を送信するように通信部１０２を制御してもよい。そして、この登録完了情報は、端末装置１２の表示部１２３に表示されてもよい。これにより、調剤薬局は、携帯端末１０において調剤情報１２４ａの登録が完了したことにより、患者が調剤内容を確認したことを認識できる。
【０１４３】
また、携帯端末１０の制御部１０５は、第２通知画面（図１０参照）の表示後に選択ボタン４２が操作され、記憶部１０４における調剤情報１２４ａの更新を行った場合、サーバ装置１１を介して端末装置１２へ、調剤情報１２４ａの更新が完了した旨を示す更新完了情報を送信するように通信部１０２を制御してもよい。そして、この更新完了情報は、端末装置１２の表示部１２３に表示されてもよい。これにより、調剤薬局は、携帯端末１０において調剤情報１２４ａの更新が完了したことにより、患者が調剤内容の変更を確認したことを認識できる。
【０１４４】
また、携帯端末１０の制御部１０５は、第３通知画面（図１１参照）の表示後に選択ボタン５２が操作され、案内内容画面（図１２参照）が表示された場合、サーバ装置１１を介して端末装置１２へ、案内情報１２４ｂの内容が確認された旨を示す案内完了情報を送信するように通信部１０２を制御してもよい。そして、この案内完了情報は、端末装置１２の表示部１２３に表示されてもよい。これにより、調剤薬局は、携帯端末１０において案内情報１２４ｂの内容が確認されたことを認識できる。
【０１４５】
また、携帯端末１０の制御部１０５は、第４通知画面（図１４参照）が表示された場合、サーバ装置１１を介して端末装置１２へ、ペアリング登録通知情報１２４ｃの内容が確認された旨を示す登録通知完了情報を送信するように通信部１０２を制御してもよい。そして、この登録通知情報は、端末装置１２の表示部１２３に表示されてもよい。これにより、調剤薬局は、携帯端末１０においてペアリング登録通知情報１２４ｃの内容が患者により確認されたことを認識できる。
【０１４６】
また、携帯端末１０の制御部１０５は、第５通知画面（図１５参照）が表示された場合、サーバ装置１１を介して端末装置１２へ、ペアリング解除通知情報１２４ｄの内容が確認された旨を示す解除通知完了情報を送信するように通信部１０２を制御してもよい。そして、この登録通知情報は、端末装置１２の表示部１２３に表示されてもよい。これにより、調剤薬局は、携帯端末１０においてペアリング解除通知情報１２４ｄの内容が患者により確認されたことを認識できる。
【産業上の利用可能性】
【０１４７】
本発明は、調剤薬局の端末装置から患者の端末装置に対して所定の情報を送信する技術全般に利用可能である。
【符号の説明】
【０１４８】
１  情報表示システム
１０  携帯端末
１０１  入力部
１０２  通信部
１０３  表示部
１０４  記憶部
１０４ａ  専用アプリケーション
１０５  制御部
１１  サーバ装置
１１１  通信部
１１２  記憶部
１１２ａ  ペアリング情報
１１３  制御部
１２  端末装置
１２１  入力部
１２２  通信部
１２３  表示部
１２４  記憶部
１２４ａ  調剤情報
１２４ｂ  案内情報
１２４ｃ  ペアリング登録通知情報
１２４ｄ  ペアリング解除通知情報
１２５  制御部
【図１】
2019133409.tif 000003
【図２】
2019133409.tif 000004
【図３】
2019133409.tif 000005
【図４】
2019133409.tif 000006
【図５】
2019133409.tif 000007
【図６】
2019133409.tif 000008
【図７】
2019133409.tif 000009
【図８】
2019133409.tif 000010
【図９】
2019133409.tif 000011
【図１０】
2019133409.tif 000012
【図１１】
2019133409.tif 000013
【図１２】
2019133409.tif 000014
【図１３】
2019133409.tif 000015
【図１４】
2019133409.tif 000016
【図１５】
2019133409.tif 000017